(57)【要約】【課題】  ビットの交換に力を必要とせず、ネジを締め付けてから適時にビットの締付トルクがリリースできるような工具ビットのホルダー構造を提供する。【解決手段】  スリーブ４を利用して結合溝２３に設けられた止合ボール２５０が制限でき、止合ボール２５０が固定できるようにすることによってビット３を固定することができる。また、スリーブ４に外ネジ山部４５を設けて、外ネジ山部４５によって調整スリーブ６が螺着でき、また、外ネジ山部４５に定位ボールの孔４４が設けてあり、それに定位ボール４４０を納めることができ、定位ボール４４０と調整スリーブ６の内壁面にある長い凹溝６１０との作動状態を調整すると、調整スリーブ６と前述のスリーブ４との締付位置が変えられ、ビット３の伸び出し長さも変えられ、何れの種類のネジでもその締付及び締付完了に合わせて適時にビット３の締付トルクがリリースできるようなものである。【選択図】    図７
2006239840.tif 000002
【特許請求の範囲】
【請求項１】
工具ビットのホルダー構造であって、軸部と、ビットと、スリーブと、調整スリーブとを備え、
軸部は、結合部及びＣ形ロック溝が設けられ、Ｃ形ロック溝はＣ形ロックを設置するためのものであり、Ｃ形ロックの一側にスプリングを設け、係止凸縁及び結合溝を設置し、結合溝がビットのために設けられ、複数の締付ボールの孔を設け、それぞれの締付ボールの孔がこれと対応する締付ボールのために設けられ、止合ボールの孔を設け、止合ボールの孔は止合ボールのために設けられ、該止合ボールによってビットの刃部の下方フープを止め合せることが可能であり、へこみフープを設け、へこみフープとは締付深度に合わせてスリーブの定位ボールの作動を調整し、
ビットには軸部及び刃部が設けられ、刃部に下方フープが必要に応じて設けられ、
スリーブには貫通孔が設けられ、貫通孔が前記軸部を納めるために設けられ、スリーブの内壁に内フープを設け、内フープに前記スプリングのもう一端が寄り当たることが可能であり、内フープに切り込みを設け、前記軸部の係止凸縁の作動に合わせるために、この切り込みに貫通孔を設け、スリーブの内壁にへこみフープを設け、へこみフープが前記締付ボールに合わせて動作することが可能であり、外ネジ山部を設け、外ネジ山部によって調整スリーブを螺着することが可能であり、外ネジ山部に定位ボールの孔が設けられ、それによって定位ボールを納めることが可能であり、
調整スリーブには内ネジ山を設け、内ネジ山が前記スリーブの外ネジ山と螺着が可能であり、調整スリーブの内壁面に長い凹溝を設け、長い凹溝によって前記スリーブの定位ボールに合わせて動作するようになり、ネジ締めの深さを調整したい場合、調整スリーブと前記スリーブとの締付位置を変えるとビットの伸び出し長さを変更可能であることを特徴とする工具ビットホルダー構造。
【請求項２】
スリーブの止合ボールによってビットの刃部の刃溝の末端を止め合わせることが可能なことを特徴とする請求項１に記載の工具ビットのホルダー構造。
【請求項３】
軸部にへこみフープを設けるために、調整スリーブとスリーブとの組合せ長さを変えることが可能であり、且調整後の位置も固定可能であることを特徴とする請求項１に記載の工具ビットのホルダー構造。
【請求項４】
調整スリーブの長い凹溝が単一のものであってもよいことを特徴とする請求項１に記載の工具ビットのホルダー構造。
【請求項５】
調整スリーブの長い凹溝が複数のものであってもよいことを特徴とする請求項１に記載の工具ビットのホルダー構造。
【請求項６】
工具ビットのホルダー構造であって、軸部と、ビットと、スリーブと、調整スリーブと、補助スリーブとを備え、
軸部には結合部及びＣ形ロック溝が設けられ、Ｃ形ロック溝はＣ形ロックを設置するためのものであり、Ｃ形ロックの一側にスプリングを設け、係止凸縁及び結合溝を設置し、結合溝がビットのために設けられ、複数の締付ボールの孔を設け、其々の締付ボールの孔がこれと対応する締付ボールのために設けられ、止合ボールの孔を設け、止合ボールの孔が止合ボールのために設けられ、該止合ボールによってビットの刃部の下方フープを止め合せることが可能であり、へこみフープを設け、へこみフープは締付深度に合わせてスリーブの定位ボールの作動を調整し、
ビットには軸部及び刃部を設け、刃部には必要に応じて下方フープが設けられ、
スリーブには貫通孔が設けられ、貫通孔が前記軸部を納めるために設けられ、スリーブの内壁に内フープを設け、内フープに前記スプリングのもう一端が寄り当たることが可能であり、内フープに切り込みを設け、前記軸部の係止凸縁の作動に合わせるために、この切り込みに貫通孔を設け、スリーブの内壁にへこみフープを設け、へこみフープが前記締付ボールに合わせて動作することが可能であり、外ネジ山部を設け、外ネジ山部によって調整スリーブを螺着することが可能であり、外ネジ山部に定位ボールの孔が設けられ、それによって定位ボールを納めることが可能であり、
調整スリーブには内ネジ山が設けられ、内ネジ山が前記スリーブの外ネジ山と螺着可能であり、調整スリーブの内壁面に長い凹溝を設け、長い凹溝によって前記スリーブの定位ボールに合わせて動作し、ネジ締めの深さを調整したい場合、調整スリーブと前記スリーブとの締付位置を変えるとビットの伸び出し長さを変えることが可能であり、
補助スリーブは、前記調整スリーブにＣ形ロック溝を設け、Ｃ形ロック溝がＣ形ロックのために設けられ、補助スリーブを前記調整スリーブの前縁に覆い合わせることにより、前記調整スリーブと補助スリーブとを結合させることが可能である一方、滑る状態を保持したり便利に取外したりすることが可能であることを特徴とする工具ビットのホルダー構造。
【請求項７】
補助スリーブが調整スリーブの前端の中に螺着可能であることを特徴とする請求項６に記載の工具ビットのホルダー構造。
【請求項８】
工具ビットのホルダー構造であって、軸部と、スリーブと、調整スリーブとを備え、
軸部には結合部が設けられ、該結合部が手工具と結合可能であり、Ｃ形ロック溝が設けられ、これがＣ形ロックを設置するためのものであり、反転用の係止凸縁を設け、これによってネジを抜け出すのに便利であり、複数の締付ボールの孔を設け、これらの孔によって締付ボールを設けることが可能であり、止合ボールのための止合ボールの孔を設け、ネジ締めの深さに合わせる調整スリーブと合わせるためのへこみフープを設け、軸部の先端にビットのための結合溝を設け、
スリーブには貫通孔が設けられ、貫通孔が前記軸部を納めるために設けられるものであり、内フープを設け、該内フープに軸部を被せるスプリングの一端を寄り止めることが可能であり、内フープに前記係止凸縁の作動に合わせるための貫通孔を設け、外ネジ山部を設けるために調整スリーブを螺着することが可能であり、外ネジ山部に定位ボールの孔が設けられ、定位ボールを納めることが可能であり、
調整スリーブには内ネジ山が設けられ、前記スリーブの外ネジ山と螺着が可能であり、調整スリーブの内壁面に長い凹溝を設け、該長い凹溝によって前記スリーブの定位ボールの動作に合わせると、調整スリーブと前記スリーブとの締付位置を変えて、ビットの伸び出し長さを変えることが可能であり、異なるネジでもその締付深度及び締付完了に合わせて適時にビットの締付トルクをリリース可能であることを特徴とする工具ビットのホルダー。
【発明の詳細な説明】
【技術分野】
【０００１】
本発明は、工具ビットのホルダー構造に関するものであり、各種のネジの締付深度に合わせて、自由にビットの伸び出し長さが調整でき、且軸部に設置された止合ボールによって、ビットを固定したり交換したりする場合、より便利で快速に完成させることができ、またネジを締め付けてから適時にビットの締付トルクがリリースできるようなビットのホルダー構造である。
【背景技術】
【０００２】
従来、ビットのホルダー構造は、特許文献１及び２に開示されているようなものが知られている（図１〜図３参照）。従来のビットのホルダー構造は、軸部１を設けて、軸部１に結合部１０を設けることにより該結合部１０が手工具と結合でき、Ｃ形ロック溝１１を設けて、これがＣ形ロック機構１１０のために設置され、反転用の係止凸縁１２を設けて、該機能を運用する場合、内スリーブ１５、１６を後へ圧縮して該ビットを伸び出した状態（図３参照）に保持させると、加工対象ワークに深く入ったネジを抜き取ることができる。また、複数の締付ボールの孔１３を設けて、これらのボール孔１３は締付ボール１３０のために設置され、結合溝１４を設けて、結合溝１４の内壁面に弾性ロック溝１４０を設け、これが弾性ロック１４１のために設置され、該弾性ロック１４１によってビット１７のへこみフープ１７０において止め合わせられることができるため、ビット１７を軸部１に繋ぐことができる。また、外スリーブ１５を設けて、外スリーブに貫通孔１５０を設けることにより前述の軸部を貫通することができ、スプリング１５１も収められ、内スリーブ１６を設けて該内スリーブの後方が前述のスプリング１５１の一端に寄り当たることができ、内スリーブ１６にフープ凹溝１６０を設けて、フープ凹溝１６０が前述の締付ボール１３０の動作に合わせることができるため、適時にビットの締付トルクがリリースできるようなものである（図２参照）。
【０００３】
しかしながら、前述の従来のビットのホルダー構造では、図１に示された状態でネジを締め付ける場合、ネジをどこまでの深さまで締め付けるかが、該ビットの伸び出し長さのニーズに従って調整できないため、各種のネジに要求されるニーズに合わせることができない。例えば、皿頭ネジで加工対象ワークにより長い頭部を残さなければならないために締付の効果が理想的ではないという問題をもたらした。更に、該ビット１７と軸部１の結合溝１４との固定は弾性ロック１４１を利用したものであり、弾性ロック１４１によってビットを十分に定位させることができるが、相対的に交換するのは極めて困難であり、殆どの場合、プライヤーを一緒に使って初めてビットを取り出すことができるため、使用者の使用に不便をもたらす。従って本発明では前述の従来のビットのホルダー構造で締め付ける時に発生した欠点を十分解決しようとして、すべて使用者の便利さのために発明したため、新型発明の要件を満たすのである。
【０００４】
【特許文献１】米国特許第４，２８７，９２３号
【特許文献２】米国特許第４，７５３，１４２号
【発明の開示】
【発明が解決しようとする課題】
【０００５】
本発明の目的としては、各種のネジの締付深度に合わせて自由にビットの伸び出し長さを調整し、またビットの固定及び交換に合わせて、軸部に止合ボールを設けて、使用者がちょっとした操作でビットを軸部の結合溝から離脱させることができるためビットの交換に何の力も要らないようになり、また、ネジを締め付けてから適時にビットの締付トルクがリリースできるようなビットのホルダー構造を提供するのである。
【課題を解決するための手段】
【０００６】
（１）上記目的を達成するための工具ビットのホルダー構造では、スリーブを利用して結合溝に設けられた止合ボールが制限でき、止合ボールが固定できるようにすることによってビットを固定することができる。
（２）上記目的を達成するための工具ビットのホルダー構造では、スリーブに外ネジ山部を設けて、外ネジ山部によって調整スリーブが螺着でき、また、外ネジ山部に定位ボールの孔が設けてあり、それに定位ボールを納めることができ、定位ボールと調整スリーブの内壁面にある長い凹溝との作動状態を調整すると、調整スリーブと前述のスリーブとの締付位置が変えられ、ビットの伸び出し長さも変えられ、何れの種類のネジでもその締付及び締付完了に合わせて適時にビットの締付トルクがリリースできるようなものである。
【発明を実施するための最良の形態】
【０００７】
よって、貴審査員の皆様により本発明を理解していただくために別添の図面を以って次のように説明いたします。
図４〜８に示されたように、本発明の第一実施例による工具ビットのホルダー構造には次のようなものが含まれる。
軸部２があり、軸部２に結合部２０が設けられ、該結合部２０が各種の知られた手工具と結合できる。また、Ｃ形ロック溝２１を設け、Ｃ形ロック溝２１はＣ形ロック２１０のために設置され、Ｃ形ロック２１０の一側にスプリング２１１が設けられ（図７〜９参照）、該Ｃ形ロック２１０を利用してスプリング２１１の一側がそれに寄り当たることができるため、スリーブ４の後退距離を制限できる。また反転用の係止凸縁２２を設けて、該機能を利用してネジを抜き取るには、後述のスリーブを後へ圧縮するだけでビットを最大の伸び出し長さに保持させることができるために（図１３参照）、加工対象ワークの中に深く入ったネジを抜き取ることができる。また、結合溝２３を設け、結合溝２３はビットのために設置され、結合溝２３の位置に複数の締付ボールの孔２４が設られ、其々の締付ボールの孔２４は対応する締付ボール２４０のために設置される。これらの締付ボール２４０がビット３の軸部３０をしっかり係止することができるため（図７及び図９参照）、該ビット３と軸部２とを一体にさせることができ、軸部２がビット３を連れて動作するようになる。また、止合ボールの孔２５を設け、これが止合ボール２５０のために設置され、該止合ボール２５０がビット３の刃部３１の下方フープ３１０において止め合わせることができ（図７参照）、あるいは、該止合ボール２５０がビット３の刃部３１の刃溝末端３００において止め合わせることもできる（図１５参照）ため、ビット３が前述の結合溝２３の中に定位されるようになり、ビット３を交換する場合でも、スリーブ４を後へ押して、該止合ボール２５０によってビット３の下方フープ３１０（図１４参照）或いはビット３の刃部３１の刃溝末端３１１（図１５参照）を放すようにさせると、ビット３と前述の結合溝２３とを完全に分離状態にさせることができ、使用者は逆さに第一実施例の工具ビットのホルダーを持つだけでビット３を結合溝から取り出すことができるため、交換は極めて快速且便利にでき、前述の従来知られたもののようにプライヤーでビットを挟み出す必要は全くない。またへこみフープ２６を設け、へこみフープ２６はネジの締付深度を調整するための調整スリーブ６の定位ボール４４０の動作に合わせる（図９〜１１参照）。
【０００８】
スリーブ４があり、スリーブ４に貫通孔４０を設けて、貫通孔４０が前述の軸部２を納めることができ、又スリーブの内壁のちょっと後方に内フープ４１が設けられ、該内フープ４１に軸部２に被せるスプリング２１１のもう一端を寄り止めることができ、前述の軸部２の係止凸縁２２の動作に合わせるためにこの内フープ４１に切り込み４１０を設けて、該スリーブ４を後退させる場合、前述の係止凸縁２２が内フープ４１の切り込み４１０を通して内フープ４１の左側に前進して来ると（図１３参照）、該ビット３の外へ伸び出した長さが最も長いところまで伸びるようになるため、加工対象ワークの中に深く入ったネジと結合しやすくなり、且手工具を反転に操作して加工対象ワークの中にあるネジを抜き取る。またスリーブ４の内壁のちょっと前方の所にへこみフープ４２が設けてあり、該へこみフープ４２が前述の締付ボール２４０の動作に合わせることができ、ビット３がネジを締め付けて設定された深さまで達すると、該スリーブ４の前縁４３と調整スリーブ６の前縁６２とが加工対象ワーク５に寄り当たるようになり（図９参照）、またはスリーブ４と調整スリーブ６との距離を変えて（図９、図１１及び図１２参照）スリーブ４を後退させて、ビット３がネジを浅く締め付けると、スリーブ４の前縁４３と調整スリーブ６の前縁６２との距離がより長くなるため、前述した締付ボール２４０がスリーブのへこみフープ４２に入るようになり、前述した締付ボール２４０がビット３の軸部３０と離れると（図８及び図１２参照）、ビットが回らなくなり、軸部２が空転の状態になり、ネジが適当な深さまで締め付けられると、ビット３の締付トルクがリリースできるため、ネジが続けて加工対象ワーク５の中に入り過ぎて設定された深度を超えるのを避ける。又外ネジ山部４５を設け、該外ネジ山部４５によって調整スリーブ６が螺着され、外ネジ山部４５に定位ボール４４０を納めるための定位ボールの孔４４が設けられる。
【０００９】
調整スリーブ６があり、調整スリーブ６に内ネジ山６０を設け、内ネジ山６０を利用して前述のスリーブ４の外ネジ山４５と螺着にさせ、調整スリーブ６の内壁面６１に長い凹溝６１０を設け、長い凹溝は単一または複数で、第一実施例では四組設け、その目的は、該長い凹溝を利用して前述のスリーブ４の定位ボール４４０の動作に合わせることにあり、ネジの締付深度を調整したい場合、まず前述のビット３の伸び出し長さを調整し、調整スリーブ６と前述のスリーブ４との締付位置を変えなければならず（図７及び図１２参照）、そうするとビットの伸び出し長さが変えられ、前述の定位ボール４４０が前述の調整スリーブ６の長い凹溝６１０の中に設けられるため、該調整スリーブ６とスリーブ４とは結合状態に呈し、従って前述のスリーブ４と調整スリーブ６とを後へ押して該定位ボール４４０を前述の軸部２のへこみフープ２６に落とすと（図９参照）、定位ボール４４０を調整スリーブ６の長い凹溝６１０から離脱させることができ、調整スリーブ６が回れるようになって、それを定位まで回してスリーブ４と調整スリーブ６を放すと前述のスプリング２１１の力を利用してスリーブ４と調整スリーブ６を設定された定位の所まで押せばよい。
【００１０】
ネジが設定された深度まで締め付けられたら、加工対象ワーク５の表面に前述した調整スリーブ６の前縁６２との摩擦による磨耗を防ぐため、前述した調整スリーブ６の前端に補助スリーブ６３を設け、図１６及び図１８に示すのは其々本発明の第二実施例と第三実施例であり、前述した調整スリーブ６にＣ形ロック溝６３０を設け、該Ｃ形ロック溝６３０はＣ形ロック６３１のために設けられ、補助スリーブ６３を前述した調整スリーブの前縁（図１６参照）に覆い合わせ、第二実施例のように、ネジを設定された深度まで締め付けると（図１８参照）、該補助スリーブ６３の前端が加工対象ワーク５の前表面に寄り当たるようになり、全体のスリーブが後退するようになるため、ビット３のトルクをリリースさせ、ビット３が空転状態に変わり（前述の図８の機能と同じ）、ネジの締付溝とビットとの不当な摩擦のために損傷することを防ぐことができるが、前述の軸部２においては、手工具が続けて起動状態になったままの場合は、前述の軸部２が続けて回転するようになり、定位ボール４４０とスリーブ４との間にある摩擦力及びスプリング作用がスリーブ４と軸部２に働きかけるため、スリーブ４を連れて回すようになり、スリーブ４が回転すると調整スリーブ６を連れて回し、調整スリーブ６が回転して前縁６２が加工対象ワーク５の表面を滑ることによって加工対象ワークの表面に磨耗或いは傷をもたらすのを防ぐため、前述の、調整スリーブ６と補助スリーブ６３との間に設けてあるＣ形ロック６３１の機能が必要であり、このとき、補助スリーブ６３の前端が既に加工対象ワーク５の表面に寄り当たっているため、たとえ調整スリーブ６が回転するように連れられても前述のＣ形ロック６３１だけを連れて回し、同時に補助スリーブ６３を連れて回すことがないため、加工対象ワーク５の表面を摩損から守るのである。
【００１１】
補助スリーブ６３を設置するもう一つの目的とは、前述の調整スリーブ６によってより大きい伸び長さまで調整すると使用者がビットの正確な位置が見えなくなり、手工具を使うとビット３がネジとうまく結合できなくなるため、補助スリーブ６３によって調整スリーブの内径をネジ頭部の外径まで接近するように縮小して、直接使用者にビットの位置を知らせ、スピーディにビットをネジ頭部と結合させ、締め付ける動作を行わせる。よって、前述した第二実施例のような設置状態の他に、更に図１９及び図２０の第三実施例及び第四実施例に示された構造のように、前述の補助スリーブ６３を前述の調整スリーブ６の前端の内側に螺着させてもよい。また第四実施例の補助スリーブ６３は前述の調整スリーブ６の前端の外側に設けられることにより、補助スリーブ設置のダブル機能に達する。
【００１２】
よって本実施例は如何なる種類のネジでも合わせて締め付けることができるし、また必要によってネジの締付深さも調整でき、且締付完了の後、更に適時にビットの締付トルクをリリースでき、ビットの使用寿命を向上させ、且本発明の実施例の工具ビットのホルダーの体積が一層小さくなるため、如何なる手工具の使用にも対応でき、使用者に負担をかけない。
【図面の簡単な説明】
【００１３】
【図１】従来の工具ビットのホルダー構造を示す断面図。
【図２】従来の工具ビットのホルダー構造においてネジを締め始める時の断面図。
【図３】従来の工具ビットのホルダー構造においてネジを反転に締め始める時の断面図。
【図４】本発明の第一実施例による工具ビットのホルダー構造の分解図。
【図５】本発明の第一実施例による工具ビットのホルダー構造一部の分解図。
【図６】本発明の第一実施例による工具ビットのホルダー構造の組み合わせ図。
【図７】本発明の第一実施例による工具ビットのホルダー構造における締付深度の断面図。
【図８】本発明の第一実施例による工具ビットのホルダー構造においてネジを締め付けるときのイメージの断面図。
【図９】本発明の第一実施例による工具ビットのホルダー構造において締付深度を調整するときの断面図。
【図１０】図９のＡ−Ａ線の断面図。
【図１１】本発明の第一実施例による工具ビットのホルダー構造において締付深度を調整した後の断面図。
【図１２】本発明の第一実施例による工具ビットのホルダー構造において締付深度を調整した後のネジを締め付けるときの断面イメージ図。
【図１３】本発明の第一実施例による工具ビットのホルダー構造において反転状態の断面イメージ図。
【図１４】本発明の第一実施例による工具ビットのホルダー構造においてビットを交換した後の断面イメージ図。
【図１５】本発明の第一実施例による工具ビットのホルダー構造がもう一種のビットと結合したときの断面イメージ図。
【図１６】本発明の第二実施例による工具ビットのホルダー構造において補助スリーブを設けたときの断面イメージ図。
【図１７】図１６のＢ−Ｂ線の断面図。
【図１８】本発明の第二実施例による工具ビットのホルダー構造において加工対象ワークとの接触状態の断面イメージ図。
【図１９】本発明の第三実施例による工具ビットのホルダー構造において補助スリーブを設けたときの断面イメージ図。
【図２０】本発明の第四実施例による工具ビットのホルダー構造において補助スリーブを設けたときの断面イメージ図。
【符号の説明】
【００１４】
２  軸部、２０  結合部、２１  Ｃ形ロック溝、２１０  Ｃ形ロック、２１１  スプリング、２２  係止凸縁、２３  結合溝、２４  締付ボールの孔、２４０  締付ボール、２５  止合ボールの孔、２５０  止合ボール、  ２６  へこみフープ、３  ビット、３０  軸部、３１  刃部、３１０  下方フープ、４  スリーブ、４０  貫通孔、４１  内フープ、４１０  切り込み、４２  へこみフープ、４３、６２  前縁、４４  定位ボールの孔、４４０  定位ボール、４５  外ネジ山部、５  加工対象ワーク、６  調整スリーブ、６０  内ネジ山、６１  内壁面、６１０  長い凹溝、６２  前縁、６３  補助スリーブ、６３０  Ｃ形ロック溝、６３１  Ｃ形ロック
【図１】
2006239840.tif 000003
【図２】
2006239840.tif 000004
【図３】
2006239840.tif 000005
【図４】
2006239840.tif 000006
【図５】
2006239840.tif 000007
【図６】
2006239840.tif 000008
【図７】
2006239840.tif 000009
【図８】
2006239840.tif 000010
【図９】
2006239840.tif 000011
【図１０】
2006239840.tif 000012
【図１１】
2006239840.tif 000013
【図１２】
2006239840.tif 000014
【図１３】
2006239840.tif 000015
【図１４】
2006239840.tif 000016
【図１５】
2006239840.tif 000017
【図１６】
2006239840.tif 000018
【図１７】
2006239840.tif 000019
【図１８】
2006239840.tif 000020
【図１９】
2006239840.tif 000021
【図２０】
2006239840.tif 000022